(57)【要約】【課題】  手摺り棒を固着具で手摺りブラケットに取付ける際に手摺り棒を手摺りブラケットに位置決めして容易に取付けることができるようにする。【解決手段】  手摺り棒２をＬＶＬで形成する。手摺り棒２の単板２８の積層方向の外面に位置決め用凹部３３を形成する。手摺りブラケット１の手摺り棒取付け部１０に位置決め突部２６を突設する。手摺り棒２の外面を手摺りブラケット１の手摺り棒取付け部１０に当てる。位置決め突部２６を位置決め用凹部３３に嵌め込む。固着具３４により手摺り棒２を手摺りブラケット１に取付ける。【選択図】        図１
2007085109.tif 000002
【特許請求の範囲】
【請求項１】
手摺り棒を単板の繊維方向を平行にして積層してなるＬＶＬで形成し、手摺り棒の前記単板の積層方向の外面に位置決め用凹部を形成し、壁に取付けられる手摺りブラケットに手摺り棒取付け部を形成し、手摺りブラケットの手摺り棒取付け部に位置決め突部を突設し、手摺り棒の外面を手摺りブラケットの手摺り棒取付け部に当てると共に位置決め突部を位置決め用凹部に嵌め込んだ状態で、固着具により手摺り棒を手摺りブラケットに取付けたことを特徴とする手摺り棒と手摺りブラケットの取付け構造。
【請求項２】
手摺りブラケットの手摺り棒取付け部の中心に固着具挿入孔を形成し、該固着具挿入孔から挿入した固着具を手摺り棒に固着して、手摺り棒を手摺りブラケットに取付けたものであって、上記位置決め突部を手摺り棒の軸方向における固着具挿入孔の両側に設けたことを特徴とする請求項１に記載の手摺り棒と手摺りブラケットの取付け構造。
【請求項３】
上記手摺り棒取付け部の周縁部から受け面部を突設し、該受け面部に手摺り棒の外面を当てたことを特徴とする請求項１又は請求項２に記載の手摺り棒と手摺りブラケットの取付け構造。
【発明の詳細な説明】
【技術分野】
【０００１】
本発明は手摺り棒と手摺り棒を壁に取付けるために用いられる手摺りブラケットとの取付け構造に関する。
【背景技術】
【０００２】
建物の壁に手摺り棒を取付ける場合、従来から特許文献１に示すような手摺りブラケットが利用されている。この手摺りブラケットは一端に壁に取付けられるベース部を形成すると共に他端に手摺り棒を受ける手摺り棒取付け部を形成したもので、手摺り棒取付け部に手摺り棒の外面を当てた状態で、ねじのような固着具により手摺り棒を手摺りブラケットに固着して取付ける。
【０００３】
ところで上記手摺りブラケットを用いて手摺り棒を壁に取付けるには、通常、手摺りブラケットのベース部を壁に取付けることで壁に複数の手摺りブラケットを並べて設け、これら手摺りブラケットの保持部に手摺り棒を取付ける。しかし複数の手摺りブラケットに手摺り棒を取付ける場合には、長尺な手摺り棒を手で支持して位置決めしながらねじのような固着具を用いて手摺り棒を手摺りブラケットに取付ける必要があり、非常に面倒であった。
【特許文献１】特開２００３−２２７２１６号公報
【発明の開示】
【発明が解決しようとする課題】
【０００４】
本発明は上記従来の問題点に鑑みて発明したものであって、手摺り棒を固着具で手摺りブラケットに取付ける際に手摺り棒を手摺りブラケットに位置決めして容易に取付けることができ、またこれにより手摺り棒に複数の手摺りブラケットを取付けた状態で、複数の手摺りブラケットを壁に取付けた場合には、複数の手摺りブラケットが互いに平行となるように手摺り棒に簡単に取付けることができる手摺り棒と手摺りブラケットの取付け構造を提供することを課題とするものである。
【課題を解決するための手段】
【０００５】
上記課題を解決するために本発明に係る手摺り棒と手摺りブラケットの取付け構造は、手摺り棒２を単板２８の繊維方向を平行にして積層してなるＬＶＬで形成し、手摺り棒２の前記単板２８の積層方向の外面に位置決め用凹部３３を形成し、壁３に取付けられる手摺りブラケット１に手摺り棒取付け部１０を形成し、手摺りブラケット１の手摺り棒取付け部１０に位置決め突部２６を突設し、手摺り棒２の外面を手摺りブラケット１の手摺り棒取付け部１０に当てると共に位置決め突部２６を位置決め用凹部３３に嵌め込んだ状態で、固着具３４により手摺り棒２を手摺りブラケット１に取付けたことを特徴とするものである。
【０００６】
上記構成により、位置決め突部２６を位置決め用凹部３３に嵌め込んで手摺り棒２を手摺りブラケット１の手摺り棒取付け部１０に対して位置決めした状態で、固着具３４により手摺り棒２を手摺りブラケット１に取付けることができて、この手摺り棒２がずれたりすることを防止でき、これにより手摺り棒２の取付け作業が容易になる。また特に手摺り棒２に複数の手摺りブラケット１を取付けた状態で、複数の手摺りブラケット１を壁３に取付けた場合には、手摺り棒２に手摺りブラケット１を上記ように位置決めして取付けることができるので、複数の手摺りブラケット１が互いに平行となるように手摺り棒２に簡単に取付けることができて施工性が良い。またこの場合、単板２８の積層方向に強度の強いＬＶＬからなる手摺り棒２の周方向の向きが手摺り棒２を手摺りブラケット１を介して壁３に取付けた状態において単板２８の積層方向が上下方向となる向きとなるように手摺り棒２を確実に取付けることができ、手摺り棒取付け部１０で支持されたＬＶＬ製の手摺り棒２に上下方向の外力が加わって変形することを防止できる。
【０００７】
また請求項２は請求項１において、手摺りブラケット１の手摺り棒取付け部１０の中心に固着具挿入孔２３ａを形成し、該固着具挿入孔２３ａから挿入した固着具３４を手摺り棒２に固着して、手摺り棒２を手摺りブラケット１に取付けたものであって、上記位置決め突部２６を手摺り棒２の軸方向における固着具挿入孔２３ａの両側に設けたことを特徴とする。
【０００８】
このように位置決め突部２６を手摺り棒取付け部１０の中心に設けた固着具挿入孔２３ａの手摺り棒２の軸方向における両側に設けたことで、固着具挿入孔２３に通した固着具３４を回動して手摺り棒２に固着する際に手摺り棒２が手摺りブラケット１に対してねじれることを確実に防止できる。
【０００９】
また請求項３は請求項１又は請求項２において、上記手摺り棒取付け部１０の周縁部から受け面部２１ｂを突設し、該受け面部２１ｂに手摺り棒２の外面を当てたことを特徴とする。
【００１０】
上記構成により手摺り棒取付け部１０の周縁部を手摺り棒２の外面に隙間なく密接させることができ、これにより外観を向上できる。
【発明の効果】
【００１１】
本発明では、手摺り棒を固着具で手摺りブラケットに取付ける際に手摺りブラケットに対して手摺り棒を位置決めすることができ、取付け作業が容易になる。またこのように手摺り棒に手摺りブラケットを位置決めして取付けることができるので、手摺り棒に複数の手摺りブラケットを取付けた状態で、複数の手摺りブラケットを壁に取付けた場合には、複数の手摺りブラケットが互いに平行となるように手摺り棒に簡単に取付けることができ、これにより予め手摺り棒に位置決めして取付けた複数の手摺りブラケットに設けたベース部材を壁の取付け面に傾くことなくぴったりと取付けることができて施工性が良い。またこの場合、単板の積層方向に強度の強いＬＶＬからなる手摺り棒の周方向の向きを手摺り棒を手摺りブラケットを介して壁に取付けた状態において単板の積層方向が上下方向となる向きに確実に取付けることができ、手摺り棒取付け部で受けられて支持されたＬＶＬ製の手摺り棒に上下方向の外力が加わって変形することも防止できる。
【発明を実施するための最良の形態】
【００１２】
以下、本発明を添付図面に示す実施形態に基いて説明する。
【００１３】
本例の手摺りブラケット１は図１や図３に示すように手摺り棒２を手摺り壁のような壁３の上面に沿って取付けるための笠木用の手摺りブラケット１であって、図５のように主体を構成するブラケット本体４と、ブラケットカバー５と、ベース部材６と、補強部材７とで構成している。
【００１４】
ブラケット本体４はアルミニウムのダイキャストにより一体成形したもので、縦に長い胴部８の一端部が壁３の上面に取付けるためのベース部９となり、他端部が手摺り棒２を壁３の上方に保持固定するための手摺り棒取付け部１０となっている。
【００１５】
ベース部９の背面（手摺り棒取付け部１０と反対側の面）にはベース部材６を嵌め込むための凹没部１１（図３参照）を設けている。またベース部９には複数個のねじ挿入孔１３ａ、１３ｂと複数個の嵌め込み孔１４とを設けている。
【００１６】
凹没部１１に嵌め込まれるベース部材６はアルミニウムのダイキャスト製であり、ベース部材６には上記複数個のねじ挿入孔１３ａ、１３ｂに対応したねじ孔１５ａ、１５ｂと、嵌め込み孔１４に嵌め込まれる嵌め込み突部１６を設けてあり、ベース部材６を凹没部１１に嵌め込むと共に嵌め込み突部１６を嵌め込み孔１４に嵌め込んだ状態でねじ挿入孔１３ａ、１３ｂから挿入したねじ具１９をねじ孔１５ａ、１５ｂに螺着することでベース部材６をブラケット本体４に固着している。またベース部材６の嵌め込み突部１６には固着具挿通孔１７を設けている。
【００１７】
胴部８には両側に外側方に開口する凹所１８を設けてあり、一方の凹所１８内にはステンレス製の補強部材７を配置している。補強部材７は胴部８、ベース部９、手摺り棒取付け部１０に沿って取付けられるもので、この補強部材７の取付け部分においては、図３に示すように補強部材７の一端部に設けた孔２０からねじ具１９を挿入してねじ挿入孔１３ａを通してねじ孔１５ａに螺着することで、補強部材７、ベース部材６、ブラケット本体４を固着している。また補強部材７を配していない凹所１８に開口するねじ挿入孔１３ｂにあっても同様にねじ具１９が挿入されて該ねじ具１９はねじ孔１５ｂに螺着してあるが、このねじ具１９の頭部とベース部９との間には補強部材７は介在していない。
【００１８】
手摺り棒取付け部１０は断面で手摺り棒２の曲率に対応した曲率を有して中心角が１８０°よりも小さい弧状をしており、図１（ｂ）に示すようにこの手摺り棒取付け部１０の中心部と全周に亘る周縁部とが他部より突出した受け面部２１ａ、２１ｂとなっていて、手摺り棒２の周方向の一部（詳しくは後述の単板２８の積層方向の片側外面）を受け面部２１ａ、２１ｂに当ててぴったりと受けることができるようになっている。なお手摺り棒取付け部１０の周縁部に設けた受け面部２１ｂの周方向の複数箇所は手摺り棒取付け部１０の中央側に延設してあって延設部２１ｃとなっており、該延設部２１ｃにも手摺り棒２の周部を当ててぴったりと受けることができるようになっている。
【００１９】
手摺り棒取付け部１０には複数の固着具挿入孔２３ａ、２３ｂが設けてある。複数の固着具挿入孔２３ａ、２３ｂのうち１つの固着具挿入孔２３ａは手摺り棒取付け部１０の中心部に設けた断面円形の受け面部２１ａの中心を貫通するように設けてあって、図３等に示すようにこの固着具挿入孔２３が胴部８の中央部に設けた孔部２４の一端に連通しており、該孔部２４の他端がベース部９の背面の中央部において開口し、ベース部材６の中央に設けた開口２５に連通している。また他の固着具挿入孔２３ｂは各延設部２１ｃを貫通するように設けてあって、図示例では他の固着具挿入孔２３ｂとして手摺り棒取付け部１０の両側に手摺り棒２の軸方向に離して２つの固着具挿入孔２３ｂを設けてあり、各固着具挿入孔２３ｂは各凹所１８に開口している。
【００２０】
また図１のように手摺り棒取付け部１０の幅方向（後述の手摺り棒２の軸方向及び単板２８の積層方向に直交する方向）における中央部には手摺り棒２の軸方向と平行な方向に伸びる断面略半円状の位置決め突部２６を突設している。位置決め突部２６は手摺り棒２の軸方向において前記固着具挿入孔２３ａを設けた受け面部２１ａの両側に夫々設けている。
【００２１】
上記構成の手摺りブラケット１は、複数の手摺りブラケット１を壁３の上面に所定間隔で取付けた後に、手摺り棒２を各手摺りブラケット１の手摺り棒取付け部１０に保持固着したり、あるいは手摺り棒２に複数の手摺りブラケット１を取付けた状態で、複数の手摺りブラケット１を壁３に夫々固着したりして取付ける。これにより手摺りブラケット１のブラケット本体４は図１（ａ）に示すように、ベース部９を壁３の上面に取付けた状態で胴部８が壁３の上面に対して直角に突出するように壁３に取付けられる。
【００２２】
壁３への手摺りブラケット１の取付けは、図４に示すようにベース部材６に設けた固着具挿通孔１７からねじや釘等の固着具２７を挿入して壁３に固着して行う。つまりブラケット本体４は直接固着具２７で壁３に取付けられるものではなく、ブラケット本体４にねじ具１９で取付けたベース部材６を固着具２７で壁３に取付けることでブラケット本体４を間接的に取付けるようになっており、これによりブラケット本体４が破損した場合などねじ具１９を外すことで壁３にベース部材６を残したままブラケット本体４を取外すことができ、交換して取付ける場合はねじ具１９を用いてベース部材６を取付けることで、固着具２７を取外す必要がない。
【００２３】
手摺り棒２は図６に示すように単板２８をその繊維方向を平行にして多数枚接着積層してなるＬＶＬ（Ｌａｍｉｎａｔｅｄ  Ｖｅｎｅｅｒ  Ｌｕｍｂｅｒ（単板積層材））からなり、中実丸棒状に形成されたものであって、各単板２８の繊維方向は手摺り棒２の軸方向と略平行になっている。手摺り棒２の単板２８の積層方向（図６（ａ）の矢印イに示す方向）の外面には手摺り棒２の軸方向の全長に亘って断面矩形の凹溝２９を形成してあり、凹溝２９は手摺り棒２の断面の中心を通る単板２８の積層方向に平行な仮想線上に位置している。また凹溝２９は底部が最下層から２番目の層の単板２８の途中に至るまで切削して形成してある。
【００２４】
手摺り棒２の外面には凹溝２９を除いた全周を被覆する化粧シート３０を巻きつけてあり、該化粧シート３０の両側縁部の夫々は凹溝２９の開口縁で折り曲げられて凹溝２９の側面に沿って接着されている。また凹溝２９には化粧シート３０の両側縁部を介してＡＢＳ等の合成樹脂からなる目地材３１を凹溝２９の長手方向の全長に亘って嵌め込んであり、該目地材３１と凹溝２９の側面との間に凹溝２９内に収めた化粧シート３０の両側縁部を挟み込むことで化粧シート３０の両側縁部が捲れないよう仕舞っている。目地材３１の凹溝２９開口側の面は弧状の凹曲面部３２となっており、該凹曲面部３２で前記断面半円状の位置決め突部２６が嵌め込まれる位置決め用凹部３３を構成している。即ち手摺り棒２の外面の周方向の一部に手摺り棒２の軸方向の全長に亘って位置決め用凹部３３を形成している。
【００２５】
そしてブラケット本体４の弧状をした手摺り棒取付け部１０の受け面部２１ａ、２１ｂを手摺り棒２の周部に当てると共に位置決め突部２６を位置決め用凹部３３に嵌め込んで手摺り棒２の周方向における所定位置に手摺り棒取付け部１０を位置させる。この状態で、複数の固着具挿入孔２３ａ、２３ｂの夫々にねじや釘等からなる固着具３４を挿入して手摺り棒２に固着することで、手摺り棒２の周方向の所定位置に手摺り棒取付け部１０を取付けることができる。
【００２６】
従って複数の手摺りブラケット１を壁３に所定間隔で取付けた後に、手摺り棒２を各手摺りブラケット１の手摺り棒取付け部１０に保持固着する場合は、手摺りブラケット１の手摺り棒取付け部１０に対して手摺り棒２を位置決めした状態で固着具３４による固着作業ができて、固着作業時に手摺り棒２がずれたりするのを防止して容易に固着作業ができる。また、手摺り棒２に複数の手摺りブラケット１を取付けた状態で、複数の手摺りブラケット１を壁３に取付ける場合は、手摺り棒２に手摺りブラケット１を上記ように位置決めして取付けることができるので、複数の手摺りブラケット１が互いに平行となるように手摺り棒２に簡単に取付けることができ、これにより予め手摺り棒２に位置決めして取付けた複数の手摺りブラケット１に設けたベース部材６を壁３の上面に傾くことなくぴったりと取付けることができる。
【００２７】
しかも本発明にあっては、単板２８の積層方向に強度の強いＬＶＬからなる手摺り棒２の周方向の向きを壁３に取付けた状態において単板２８の積層方向が上下方向となる向きに確実に取付けることができ、手摺り棒取付け部１０で受けられたＬＶＬ製の手摺り棒２に上下方向の外力が加わって変形することを防止できる。
【００２８】
また位置決め突部２６が嵌め込まれる手摺り棒２の位置決め用凹部３３は手摺り棒２の軸方向の全長に亘って形成されているので、位置決め突部２６を位置決め用凹部３３の長手方向の任意の位置に嵌め込むことができて、手摺り棒２の軸方向における手摺りブラケット１の取付け位置が制限されない。なお位置決め突部２６は位置決め用凹部３３に対して手摺り棒２の軸方向にスライド自在に嵌め込んであっても良いし、スライド不能に嵌め込んであっても良いものとする。
【００２９】
また位置決め突部２６を手摺り棒２の軸方向において手摺り棒取付け部１０の中心に設けた固着具挿入孔２３ａの両側に設けているので、固着具挿入孔２３ａに通した固着具３４を手摺り棒２に固着する際に手摺り棒２が手摺りブラケット１に対してねじれることを確実に防止できる。
【００３０】
また上記手摺り棒取付け部１０の周縁部を中央側の他の部位よりも突出した受け面部２１ｂとし、該受け面部２１ｂに手摺り棒２の外面を当てているので、手摺り棒取付け部１０の周囲部分を手摺り棒２の外面に隙間なく密接させることができ、これにより外観を向上できる。
【００３１】
またここで補強部材７の取付け部分においては前記孔２０を設けた側とは反対側の補強部材７の他端部に設けた孔３５から固着具３４を挿入して固着具挿入孔２３ｂを通して手摺り棒２に固着してあり、これにより手摺り棒２はブラケット本体４と、補強部材７とに固着具３４で固着されることとなり、また、補強部材７は既に述べたようにねじ具１９によりベース部材６に固着し、ベース部材６を壁３に固着してあるので、アルミダイキャスト製のブラケット本体４が仮に外力により破損してもステンレス製の補強部材７、ベース部材６を介して手摺り棒２が壁３に固定してあることで、壁３から手摺り棒２が外れないようにできる。
【００３２】
なお手摺り棒２を手摺りブラケット１に取付けた後はブラケット本体４の各凹所１８の開口部に合成樹脂製のブラケットカバー５が着脱自在に取付けられ、これにより補強部材７を含めて各凹所１８はブラケットカバー５で覆い隠される。
【００３３】
次に上記とは異なる実施形態を図７〜図９に示す。なお上記実施形態と同一の構成については同一の番号を付与してあり、重複する説明は省略する。
【００３４】
本例の手摺りブラケット１は図７や図９に示すように手摺り棒２を階段の壁や廊下の壁等からなる壁３の側面に沿って取付けるための壁側面取付け用の手摺りブラケット１である。
【００３５】
手摺りブラケット１の主体を構成するブラケット本体４は、中間部で略直角に曲げられたＬ字状の胴部８の一端部が壁３の側面に取付けられるベース部９となり、他端部が手摺り棒２を壁３の側方に保持固定するための手摺り棒取付け部１０となっている。
【００３６】
ベース部９には複数のねじ挿入孔１３を設けてあり、またベース部材６には嵌め込み突部１６を設けてあり、上記実施形態と同様にベース部材６を凹没部１１に嵌め込むと共に嵌め込み突部１６を嵌め込み孔１４に嵌め込んだ状態でねじ挿入孔１３に挿入したねじ具１９をベース部材６のねじ孔１５に螺着することでベース部材６を固着している。またベース部材６や該ベース部材６の嵌め込み突部１６には固着具挿通孔１７を設けている。
【００３７】
胴部８にはベース部９と反対側の側方に開口する凹所１８を設けてあり、凹所１８内には上記実施形態と同様に補強部材７を配設している。
【００３８】
また本実施形態では手摺り棒取付け部１０が受け面部２１となっている。手摺り棒取付け部１０には３箇所に凹所に開口する固着具挿入孔２３を設けてあり、補強部材７の他端部に設けた孔３５から挿入した固着具３４を固着具挿入孔２３を通して手摺り棒２に固着することで手摺り棒取付け部１０に手摺り棒２を取付けられるようになっている。また図８に示すように手摺り棒取付け部１０には手摺り棒２の軸方向における両端部に間隔を介して位置決め突部２６を設けている。
【００３９】
上記の構成の手摺りブラケット１は、複数の手摺りブラケット１を壁３の側面に所定間隔で取付けた後に、手摺り棒２を各手摺りブラケット１の手摺り棒取付け部１０に保持固着したり、あるいは、手摺り棒２に複数の手摺りブラケット１を取付けた状態で、複数の手摺りブラケット１を壁３に夫々固着したりして取付ける。これにより手摺りブラケット１のブラケット本体４は図９に示すように壁３から略Ｌ字状に突出するように取付けられる。
【００４０】
そして上記実施形態と同様にブラケット本体４の弧状をした手摺り棒取付け部１０の受け面部２１を手摺り棒２の周部に当てると共に位置決め突部２６を位置決め用凹部３３に嵌め込んで手摺り棒２の周方向における所定位置に手摺り棒取付け部１０を位置させた状態で、複数の固着具挿入孔２３にねじや釘等からなる固着具３４を挿入して手摺り棒２に固着することで、手摺り棒２の周方向の所定位置に手摺り棒取付け部１０を取付けることができる。
【００４１】
本実施形態のように手摺り棒２を手摺りブラケット１で壁３の側面に取付けるものにおいても、上記図１の実施形態と同様に、位置決め突部２６を位置決め用凹部３３に嵌め込んで手摺り棒２を手摺りブラケット１の手摺り棒取付け部１０に対して位置決めした状態で、固着具３４により手摺り棒２を手摺りブラケット１に取付けることができ、手摺り棒２の取付け作業が容易になる。
【図面の簡単な説明】
【００４２】
【図１】本発明の実施の形態の一例の手摺りブラケットを示すもので、（ａ）は正面図、（ｂ）は平面図、（ｃ）は側面図、（ｄ）は底面図である。
【図２】図１（ｂ）のＡ―Ａ′断面図である。
【図３】図１（ｂ）のＢ−Ｂ′断面図である。
【図４】図１（ｂ）のＣ−Ｃ′断面図である。
【図５】同上の手摺りブラケットの分解斜視図である。
【図６】同上の手摺り棒を示すもので、（ａ）は側面図、（ｂ）は正面図、（ｃ）は（ｂ）の要部拡大図である。
【図７】他の実施形態の一例の手摺りブラケットを示すもので、
【図８】同上のブラケット本体の平面図である。
【図９】同上の手摺りブラケットで手摺り棒を壁の側面に取付けた状態を示す斜視図である。
【符号の説明】
【００４３】
１  手摺りブラケット
２  手摺り棒
３  壁
１０  手摺り棒取付け部
２１ｂ  受け面部
２３  固着具挿入孔
２６  位置決め突部
２８  単板
３３  位置決め用凹部
３４  固着具
【図１】
2007085109.tif 000003
【図２】
2007085109.tif 000004
【図３】
2007085109.tif 000005
【図４】
2007085109.tif 000006
【図５】
2007085109.tif 000007
【図６】
2007085109.tif 000008
【図７】
2007085109.tif 000009
【図８】
2007085109.tif 000010
【図９】
2007085109.tif 000011